(57)【要約】      （修正有）【課題】狭小なスペースであってもブラケットを簡単、確実に取り付けることができ、その取付状態にガタつきもなく、取付方位も自由に選択できるようにした新規有用な部材取付構造を提供する。【解決手段】ブラケット４の一部に、スリット２１ａ内に緊密に差し込まれる基端部４３と、スリット２１ａを通過して取付面２１の裏面２１ｘに添接される先端爪部４４とを形成し、先端爪部４４を取付面２１に設けたスリット２１ａに差し込んで斜めに進入させた後、傾斜が浅くなる方向に回動させることによって、先端爪部４４を取付面２１の裏面２１ｘに添接させるとともに基端部４３をスリット２１ａ内に移動し得ない状態で収容し、その上で取付面２１の他の部位にブラケット４の対応部位を固定することで先端爪部４４が傾斜する挙動を禁止することとした。【選択図】図２
2006230932.tif 000002
【特許請求の範囲】
【請求項１】
取付面に設けた開口に部材の一部を係合させ、その係合が解除されないように取付面の他の部位に当該部材の対応部位を固定するようにしたものであって、
前記部材の一部には、開口内に緊密に差し込まれる基端部と、開口を通過して取付面の裏面に添接される先端爪部とが形成され、先端爪部を取付面に設けた開口に差し込んで斜めに進入させた後、傾斜が浅くなる方向に回動させることによって、先端爪部を取付面の裏面に添接させるとともに基端部を開口内に移動し得ない状態で収容可能としており、
前記取付面の他の部位に当該部材の対応部位を固定することによって、先端爪部が傾斜する動きを禁止するようにしていることを特徴とする部材取付構造。
【請求項２】
部材には、取付面に当接する当接面が設けられ、基端部は前記取付面から開口内に差し込まれる方向に立ち上がり、この基端部の変位した部位より取付面の裏面に向かって先端爪部を延出させているものであって、基端部の寸法は開口の内法寸法に略合致し、基端部のコーナー部分には当該部材の基端部が回動しながら開口内に差し込まれることを許容する干渉回避部が設けてある請求項１記載の部材取付構造。
【請求項３】
先端爪部が取付面の裏面に添接した状態で、当該先端爪部の内縁は基端部の端から裏面に沿って延出し、当該先端爪部の外縁は基端部の変位した部位より裏面から一旦離れる方向に立ち上がった後、円弧を描きながら先端爪部の内縁に接続されている請求項２記載の部材取付構造。
【請求項４】
部材が、取付面にオプションを取り付けるためのブラケットである請求項１〜３記載の部材取付構造。
【請求項５】
部材が、取付面にオプションを直接取り付ける際の当該オプションそれ自体である請求項１〜３記載の部材取付構造。
【請求項６】
請求項４記載の部材取付構造を適用したものであって、天板上に棚板が一体若しくは結合状態で配置されて、天板と棚板の間に空間が形成されており、その棚板の下面を取付面として前記空間内にブラケットを取り付け、このブラケットに引き出しやトレー等のオプションを支持させていることを特徴とする天板付き家具。
【請求項７】
請求項４記載の部材取付構造を適用したものであって、天板下に袖やラック等の収納部が一体若しくは結合状態で配置されて、天板と収納部の間に空間が形成されており、その天板の下面を取付面として前記空間内にブラケットを取り付け、このブラケットに引き出しやトレー等のオプションを支持させていることを特徴とする天板付き家具。
【請求項８】
請求項４記載の部材取付構造を適用したものであって、棚板の下面を取付面として棚板間の空間内にブラケットを取り付け、このブラケットに引き出しやトレー等のオプションを支持させていることを特徴とする棚装置。
【発明の詳細な説明】
【技術分野】
【０００１】
本発明は、既設の家具等に存する狭小なスペースにオプション等を直接又はブラケットを介して適切に取り付けることができるようにした部材取付構造に関するものである。
【背景技術】
【０００２】
家具にブラケットを取り付けてオプションを支持させることはオフィス等において広く一般に行われている。そしてその際、例えば特許文献１に示す取付構造が一般に採用されている。同文献のものは棚支柱に棚受やアーム部材を取り付ける例であるが、このような取付構造は他の取付け用途にも用いられるため、ここで取り上げているものである。
【０００３】
同文献の第１図〜第１０図に示されるものは、ブラケットに設けた先端爪部を棚支柱の開口に挿入し、回動動作によってこの先端爪部を開口に係合させるもので、回動終端で基端が開口縁に嵌まり、棚荷重を支持できるようにしている。一方、第１１図に示されるものは、ブラケットの当接面から平行に突出させた２つの爪部を棚支柱の対応２箇所に設けた開口に挿入し、そのまま落とし込むことによって爪部を開口縁に係合させ、その状態で当接面を取付面に当接させて棚荷重を支持するようにしている。
【特許文献１】特公平１−４８００６号公報
【発明の開示】
【発明が解決しようとする課題】
【０００４】
ところが、前者の取付構造の場合、ブラケットを基本的に回動動作のみによって棚支柱に係合させるため、最初は大きな傾斜角度が必要で、周辺に十分な動作空間が不可欠となる。このため、例えば天板上に棚板が一体若しくは結合状態で配置され、天板と棚板の間に存する狭小な空間にブラケットを取り付けて引き出しを支持させる必要がある場合等には採用し得ない取付構造である。
【０００５】
一方、後者の取付構造の場合、ブラケットを基本的にスライド動作のみによって棚支柱に係合させるため、取付状態でガタつきが避けられず、これを解消すべく爪部を開口に食い込むように係合させる構造にすると、操作力が必要となる上に、抜き取り作業に困難を伴うこととなる。
【０００６】
さらに、何れの取付構造も、棚荷重を利用してブラケットが棚支柱から外れないようにしているため、ブラケットが棚荷重を受けるような取付方位に限定され、棚板の下面にブラケットをぶら下げるようにして取り付ける取付方位は採用し得ないものである。
【０００７】
本発明は、これらの課題を一挙に解決することを目的としている。
【課題を解決するための手段】
【０００８】
本発明は、かかる目的を達成するために、次のような手段を講じたものである。
【０００９】
すなわち、本発明の部材取付構造は、取付面に設けた開口に部材の一部を係合させ、その係合が解除されないように取付面の他の部位に当該部材の対応部位を固定するようにしたものであって、前記部材の一部には、開口内に緊密に差し込まれる基端部と、開口を通過して取付面の裏面に添接される先端爪部とが形成され、先端爪部を取付面に設けた開口に差し込んで斜めに進入させた後、傾斜が浅くなる方向に回動させることによって、先端爪部を取付面の裏面に添接させるとともに基端部を開口内に移動し得ない状態で収容可能としており、前記取付面の他の部位に当該部材の対応部位を固定することによって、先端爪部が傾斜する動きを禁止するようにしていることを特徴とする。
【００１０】
このように構成すると、先端爪部を開口に差し込んだ後、斜めに進入させる動作を略直進的に行うことができるので、以降の回動動作は基端部を開口内に収容する上で必要な僅かな量で足りる。このため、全体を大きく回動させる場合に比べて必要な動作空間が遥かに小さくて済む。そして、基端部が開口内に密接に収容されることによって部材にガタつきのない状態が得られ、この状態で部材の他の部位を固定することによりその状態を維持するため取付方位も限定されることがない。また、このように全体の動きが小さい点、基端部が開口内に入り込んだ際に装着感が得られる点よりして、手探りであっても簡単、確実に目的部位に部材を取り付けることが可能となる。
【００１１】
特に、部材に取付面に当接する当接面を設け、基端部を前記取付面から開口内に差し込まれる方向に立ち上げ、この基端部の変位した部位より取付面の裏面に向かって先端爪部を延出させているものが好適である。この場合、基端部の寸法を開口の内法寸法に略合致させて設け、基端部のコーナー部分に、当該部材の基端部が回動しながら開口内に差し込まれることを許容する干渉回避部を設けておくのが好適である。
【００１２】
開口に対する先端爪部の円滑な挙動を確保するためには、取付面の裏面に添接した状態にある先端爪部が、内縁を基端部の端から裏面に沿って延出させ、外縁を基端部の変位した部位より裏面から一旦離れる方向に立ち上げた後、円弧を描きながら先端爪部の内縁に接続される形態をなしていることが望ましい。
【００１３】
具体的な実施の一態様としては、上記部材が取付面にオプションを取り付けるためのブラケットであるものや、上記部材が取付面にオプションを直接取り付ける際の当該オプションそれ自体であるものが挙げられる。
【００１４】
上記のブラケット式の取付構造を採用することにより、以下のよう什器に有効に適用することができる。
【００１５】
天板上に棚板が一体若しくは結合状態で配置されて、天板と棚板の間に空間が形成されており、その棚板の下面を取付面として前記空間内にブラケットを取り付け、このブラケットに引き出しやトレー等のオプションを支持させた天板付き家具。
【００１６】
天板下に袖やラック等の収納部が一体若しくは結合状態で配置されて、天板と収納部の間に空間が形成されており、その天板の下面を取付面として前記空間内にブラケットを取り付け、このブラケットに引き出しやトレー等のオプションを支持させた天板付き家具。
【００１７】
棚板の下面を取付面として棚板間の空間内にブラケットを取り付け、このブラケットに引き出しやトレー等のオプションを支持させた棚装置。
【発明の効果】
【００１８】
本発明は、以上のような構成であるから、狭小なスペースであってもブラケットその他の部材を簡単、確実に取り付けることができ、その取付状態にガタつきもなく、取付方位も自由に選択できるようにした新規有用な部材取付構造を提供することが可能となる。
【発明を実施するための最良の形態】
【００１９】
以下、本発明の一実施形態を、図面を参照して説明する。
【００２０】
この実施形態の部材取付構造は、図１に示すように、天板１上に棚板２が結合状態で配置されて天板１と棚板２の間に空間Ｓが形成されている天板付き家具たる棚机Ａに適用されたものである。天板１は対面配置され、その境界部分に配置した側板３間に前記棚板２が共用のものとして架設されている。
【００２１】
図２及び図４に示すように、取付面である棚板２の下面２１には開口たるスリット２１ａが設けてあり、このスリット２１ａにブラケット４の一部を係合させ、その係合が解除されないように取付面２１の他の部位に設けた開口たるファスナ取付孔２１ｂにファスナ５を利用してブラケット４の対応部位を固定して、このブラケット４にレール７を取り付け、オプションである引き出し６（図１及び図８参照）を支持させている。
【００２２】
棚板２はスチール製のもので、天板１上に固定された側板３，３間に結合状態で取り付けられており、その幅方向の端部近傍における下面及び中央部における下面に、上記スリット２１ａ及び矩形状のファスナ取付孔２１ｂが奥行き方向に所定距離隔てて設けられている。
【００２３】
ブラケット４は、図２及び図３に示すように、板金素材を塑性変形加工して、水平状態で配置される当接面４１と、鉛直状態で配置されるレール取付面４２とを有し、取付状態で前記当接面４１を図５に実線で示すように棚板２の下面２１に当接させるようにしている。そして、この当接面４１と一体的に、前記スリット２１ａの打ち抜いた部分に緊密に差し込まれる基端部４３と、スリット２１ａを通過して取付面２１の裏面２１ｘに添接される先端爪部４４とを塑性変形可能によって形成している。この実施形態の場合、先端爪部４４はブラケット４の２箇所に対をなして設けられているのに対して、基端部４３はスリット２１ａに嵌め合わせるように緊密に装着する関係上、加工精度や組付精度を上げないために先端爪部４４の一方のみに設けられている。すなわち、図６（ｂ）に示す所定取付状態で、基端部４３は前記取付面２１からスリット２１ａ内に差し込まれる方向すなわち上方に立ち上がり、基端部４３のうちブラケット端部側へ変位した部位より取付面２１の裏面２１ｘに沿って先端爪部４４を延出させている。図２に示す基端部４３の寸法Ｘはスリット２１ａの内法寸法Ｙに略合致し、基端部４３のコーナー部分には干渉回避部たるＲ部４３ａが設けられている。
【００２４】
すなわち、このブラケット４は、図４及び図６（ａ）に想像線で示すように先端爪部４４を取付面２１のスリット２１ａに差し込んでその内縁（下縁）４４ａをスリット２１ａの開口縁に当てがい且つ基端部４３の上縁をスリット２１ａの反対側の開口縁に当てがって、そのまま同図中矢印で示すように想像線位置から実線位置に向かって先端爪部４４の首部（すなわち基端部４３）の前端が突き当たる位置まで斜めに進入した後、図５及び図６（ｂ）に示すようにＲ部４３ａをスリット２１ａ内に進入させながら同図中矢印で示すように想像線位置から実線位置に向かって傾斜が浅くなる方向にブラケット４全体を回動させることで、先端爪部４４の下縁４４ａが取付面２１の裏面２１ｘに添接し、同時に基端部４３がスリット２１ａ内に移動し得ない状態で密接に収容されることとなる。
【００２５】
先端爪部４４の形状について付言すると、取付面２１の裏面２１ｘに添接した図６（ｂ）の状態で、基端部４３の端から裏面２１ｘに沿って延出するその内縁（下縁）４４ａに対して、当該先端爪部４４の外縁（上縁）４４ｂは基端部４３の変位した部位より裏面２１ｘから一旦離れる方向に立ち上がって円弧を描きながら先端爪部４４の内縁（下縁）４４ａに近づく形状をなし、先端爪部４４の内縁（下縁）４４ａは上方に滑らかに湾曲して上記外縁（上縁）４４ｂと連なる。このように先端爪部４４全体が丸みのある形態をなすため、図６（ａ）の想像線の状態よりも更に操作初期段階において先端爪部４４の上縁４４ｂがスリット２１ａの図中右側に位置する開口縁を摺動しながらスリット２１ａの奥方に進入する動作が円滑に行われ、通過した先端爪部４４の下縁４４ａがスリット２１ａの図中左側に位置する開口縁を摺動しながら同図中想像線の位置より実線の位置に向かって取付面２１の裏面２１ｘに進入する動作も円滑に行われる。
【００２６】
このようにして、当接面４１が取付面２１に沿って密接に配置されたなら、取付面２１のファスナ取付孔２１ｂ及びブラケット４の対応位置に設けたファスナ取付孔４１ｂにファスナ５を差し込んで、ブラケット４の他の部位を取付面２１に固定し、先端爪部４４がスリット２１ａから抜脱する動作を禁止する。ファスナ５は樹脂製のもので、図２及び図７に示すようにベース５１に立片５２を設け、この立片５２の先端に弾性爪５３を連設した形態をなすもので、弾性爪５３に設けた緩やかな湾曲面５３ｘを摺動させながら当該弾性爪５３を経過的に立片５２に近づけることでブラケット４のファスナ取付孔４１ｂ及び当接面２１のファスナ取付孔２１ｂを通過させ、通過した位置で弾性爪４３を復元させることで立片５２に設けた係合片５２ａを取付面の裏面に添接させるとともに、ベース５１をブラケット４の当接面４１の下面に添接させ、弾性爪５３に設けた爪部５３ａを取付面２１の裏面２１ｘに係合させるものである。解除する際は、弾性爪５３の自由端側に指をかけて立片５２側に弾性変形させることで、再びファスナ取付孔２１ｂ、４１ｂから抜き取ることができる。
【００２７】
そして、このように棚板２の取付面２１に取り付けたブラケット４のレール取付面４２に図８に示すようにサスペンションタイプのレール７を取り付け、このレール７に引き出し６を支持させるようにしている。このレール７は、詳細は図示しないが、基端レール、中間レール及び先端レールをテレスコープ状に接続して伸縮可能とした一般的なもので、前記ブラケット４のレール取付面４２に後付けで取り付けた後、引き出し６を支持させることができる構造を有している。
【００２８】
以上説明したように、本実施形態の部材取付構造は、取付面２１に設けた開口であるスリット２１ａにブラケット４の一部を係合させ、その係合が解除されないように取付面２１の他の部位に当該ブラケット４の対応部位を固定するようにしている。そして、ブラケット４の一部に、スリット２１ａ内に緊密に差し込まれる基端部４３と、スリット２１ａを通過して取付面２１の裏面２１ｘに添接される先端爪部４４とを形成し、先端爪部４４を取付面２１に設けたスリット２１ａに差し込んで斜めに進入させた後、傾斜が浅くなる方向に回動させることによって、先端爪部４４を取付面２１の裏面２１ｘに添接させるとともに基端部４３をスリット２１ａ内に移動し得ない状態で収容し、その上で取付面２１の他の部位にブラケット４の対応部位を固定することで先端爪部４４が傾斜する挙動を禁止するようにしている。
【００２９】
このように、先端爪部４４をスリット２１ａに差し込んだ後、斜めに進入させる動作を略直進的に行うことができるので、以降の回動動作が基端部４３をスリット２１ａ内に収容する上で必要な図５に矢印で示す僅かな量で足りる。このため、全体を大きく回動させる場合に比べて必要な動作空間が遥かに小さくて済み、図示のような既設の棚机等において天板１と棚板２との間隙が極めて狭小な場合でもその空間Ｓに後付により引き出し６を有効に取り付けることが可能となる。そして、基端部４３がスリット２１ａ内に密接に収容されることによってブラケット４にガタつきのない状態が得られ、この状態でブラケット４の他の部位を固定することによってその状態を維持することができるので取付方位も図示実施形態に限らない。特に、図６（ｃ）に示すａの部分において、基端部４３と先端爪部４４との境界部分に位置する略直角の入り隅部がスリット２１ａの長手方向一端側に位置する開口縁のコーナー部に裏側から密着し、且つ同図中ｂの部分において基端部４３と当接面４１との境界部分に位置する略直角の入り隅部がスリット２１ａの長手方向他端側に位置する開口縁のコーナー部に表側から密着するので、ブラケット４に長手方向に沿って高い位置決め作用が生じることとなる。また、上記のようにブラケット４全体の動きが小さい点、基端部４３がスリット２１ａ内に入り込んだ際に装着感が得られる点よりして、棚板２の下に手を差し込んで手探りで作業を行っても、簡単、確実に目的部位へのブラケット４の取付作業を完了することが可能となる。
【００３０】
特にブラケット４に、取付面２１に当接する当接面４１を設け、この当接面４１から基端部４３を取付面２１のスリット２１ａに差し込まれる方向に立ち上げ、この基端部４３の変位した部位より取付面２１の裏面２１ｘに向かって先端爪部４４を延出させており、基端部４３の寸法をスリット２１ａの内法寸法に略合致させ、基端部４３のコーナー部分にブラケット４の基端部４３が回動しながらスリット２１ａ内に差し込まれることを許容するＲ部４３ａを設けているため、先端爪部４４の寸法Ｚ（図２参照）はスリット２１ａの内法寸法Ｙよりも小さくなり、先端爪部４４を回動ではなく斜めから略直進的にスリット２１ａ内に進入させることを可能ならしめる。そして、基端部４３にＲ部４３ａを設けることによって、進入後に回動させる動作と、回動後に基端部４３をスリット２１ａ内に密接に装着した状態とを好適に両立させることが可能となる。
【００３１】
特に、先端爪部４４が取付面２１の裏面２１ｘに添接した状態で、先端爪部４４の内縁４４ａが基端部４３の端から裏面２１ｘに沿って延出し、先端爪部４４の外縁４４ｂが基端部４３の変位した部位より裏面２１ｘから一旦離れる方向に立ち上がった後、円弧を描きながら先端爪部４４の内縁４４ａに接続された形状をなすので、先端爪部４４がスリット２１ａの開口縁に引っ掛かりにくくなり、挿脱操作を円滑に行うことにより作業性を一層向上させることができる。
【００３２】
また、ブラケット４を先に取り付け、しかる後、このブラケット４にレール７を取り付けて引き出し６を後付で支持させるようにしているので、作業が簡単となるだけでなく、ブラケット４を共用し或いはブラケット４の種類を変えてトレーなど他のオプションも取り付けることが可能となり、この棚付デスクＡに多様な機能を付加することができる。
【００３３】
なお、各部の具体的な構成は、上述した実施形態のみに限定されるものではない。例えば、本発明が適用できる部材はブラケットに限らず、加工等に難点がなければ、例えばオプションそれ自体に先端爪部や基端部等を設けて取付面のスリットに係合させる態様を妨げるものではない。
【００３４】
また、図９に示すように、天板１の下に袖やラック等の収納部８が一体若しくは結合状態で配置され、天板１と収納部８の間に比較的狭小な空間Ｓ２が存在する家具Ｂの場合には、その天板１の下面１１を取付面として前記空間Ｓ２内にブラケット４を取り付け、このブラケット４に引き出しやトレー等のオプションＯ１を支持させることで、その空間Ｓ２を有効活用することができるようになる。
【００３５】
さらに、図１０に示すように、棚装置Ｃを構成する棚板９の間隔が比較的詰まっているような場合でも、その棚板９の下面９１を取付面として棚板９，９間の空間Ｓ３内にブラケット４を取り付け、このブラケット４に引き出しやトレー等のオプションＯ２を支持させることで、棚装置Ｃの棚空間に新しい機能を容易に付加することができるようになる。
【００３６】
さらにまた、上記実施形態は天板や棚板の下面を取付面として部材を取り付ける場合を例示したが、取付面が立面であるような取付方位であっても本発明を有効に適用して上記と同様の作用効果を得ることができる。
【００３７】
その他の構成も、本発明の趣旨を逸脱しない範囲で種々変形が可能である。
【図面の簡単な説明】
【００３８】
【図１】本発明の一実施形態に係る部材取付構造を適用した天板付き家具を示す斜視図。
【図２】同実施形態で用いるブラケットと取付面との関係を示す斜視図。
【図３】同ブラケットの三面図。
【図４】同実施形態で棚板にブラケットを取り付ける様子を示す図。
【図５】同実施形態で図４に引き続き棚板にブラケットを取り付ける様子を示す図。
【図６】図４及び図５の要部拡大図。
【図７】同実施形態においてブラケットの他の部位を固定するファスナ部分の断面図。
【図８】同実施形態で取り付けたブラケットに引き出しを支持させている様子を示す正面図。
【図９】本発明の変形例を示す図。
【図１０】本発明の他の変形例を示す図。
【符号の説明】
【００３９】
１…天板
２…棚板
４…部材（ブラケット）
５…ファスナ
６…オプション（引き出し）
７…レール
８…収納部
９…棚板
２１…取付面（下面）
２１ａ…開口（スリット）
４１…当接面
４３…基端部
４３ａ…干渉回避部（Ｒ部）
４４…先端爪部
Ａ…天板付き家具
Ｂ…家具
Ｃ…棚装置
Ｏ１、Ｏ２…オプション
Ｓ、Ｓ１、Ｓ２…空間
【図１】
2006230932.tif 000003
【図２】
2006230932.tif 000004
【図３】
2006230932.tif 000005
【図４】
2006230932.tif 000006
【図５】
2006230932.tif 000007
【図６】
2006230932.tif 000008
【図７】
2006230932.tif 000009
【図８】
2006230932.tif 000010
【図９】
2006230932.tif 000011
【図１０】
2006230932.tif 000012